(57)【要約】【課題】            従来の手袋型をした洗髪用具は、頭髪や頭皮を回転して揉むように作業できるものはなく、すべてが擦るあるいは掻く作業を行うためのものであり、また、手袋型の洗髪用具を装着した際に、掌の動き、指の動きが制約され、自在な動きを許容するものではなく、さらに、回転して揉む動作を強調するものとして、掌の凹部部分や親指の付け根部分を対応させることのできる構成のものはなかったという点である。【解決手段】        一対の手袋体から構成され、その手袋体の各指先挿入部の指腹部の表面に複数の突起群を形成してある洗髪用具において、前記した手袋体の各指先挿入部には各関節対応の溝部を形成し、かつ、親指の付け根対応部及び親指の中節骨対応部と、掌中央の凹部対応部に前記突起群よりも腰の強いドーム形状の回転作業用突起群を設けてあることとする。【選択図】          図１
2014001465.tif 000002
【特許請求の範囲】
【請求項１】
一対の手袋体から構成され、その手袋体の各指先挿入部の指腹部の表面に複数の突起群を形成してある洗髪用具において、前記した手袋体の各指先挿入部には各関節対応の溝部を形成し、かつ、親指の付け根対応部及び親指の中節骨対応部と、掌中央の凹部対応部に前記突起群よりも腰の強いドーム形状の回転作業用突起群を設けてあることを特徴とする洗髪用具。
【請求項２】
前記した各指先挿入部の爪側表面にはプロテクタを設けてあることを特徴とする請求項１に記載の洗髪用具。
【請求項３】
前記した各指先挿入部から続く、指の第二関節部の外側対応部分には、前記した爪側表面のプロテクタよりも軟らかい第二のプロテクタを設けてあることを特徴とする請求項２に記載の洗髪用具。
【請求項４】
前記したドーム形状の回転作業用突起群と対応するパートは手袋体の素地を二重構造としてあることを特徴とする請求項１から３のうち１つに記載の洗髪用具。
【発明の詳細な説明】
【技術分野】
【０００１】
本発明は洗髪用具に関し、特に頭皮や毛根を傷つけることがなく、揉みほぐす動作によって頭皮の汚れをムラなく落とすことができ、清潔さと、血行を促進させ健康にもよい影響を与えることができる洗髪用具に関する。
【背景技術】
【０００２】
従来、手袋型をした洗髪用具として、特許文献１乃至３として示すものが知られている。これらの特許文献１乃至３に示される洗髪用具は、いずれも指が挿入される部分の指腹部の表面に突起、ブラシあるいは櫛状体が設けられているものとなっている。
【０００３】
しかしながら、洗髪にあって、頭髪及び頭皮を擦る作業は頭髪及び頭皮を傷付けてしまい、強いては脱毛を促し、育毛を阻害してしまう原因となるもので、洗髪作業は回転を加えて揉むように行うことが望ましい。
【先行技術文献】
【特許文献】
【０００４】
【特許文献１】特開２０１１−１６２８９５号公報
【特許文献２】特開２００５−３４２２７８号公報
【特許文献３】特開２００５−２００８２０号公報
【発明の概要】
【発明が解決しようとする課題】
【０００５】
本発明が解決しようとする問題点は、従来の手袋型をした洗髪用具は、頭髪や頭皮を回転して揉むように作業できるものはなく、すべてが擦るあるいは掻く作業を行うためのものであったという点である。
【０００６】
また、手袋型の洗髪用具を装着した際に、掌の動き、指の動きが制約され、自在な動きを許容するものではなく、さらに、回転して揉む動作を強調するものとして、掌の凹部部分や親指の付け根部分を対応させることのできる構成のものはなかったという点である。
【課題を解決するための手段】
【０００７】
上記した問題点を解決するために、本発明に係る洗髪用具は、一対の手袋体から構成され、その手袋体の各指先挿入部の指腹部の表面に複数の突起群を形成してある洗髪用具において、前記した手袋体の各指先挿入部には各関節対応の溝部を形成し、かつ、親指の付け根対応部及び親指の中節骨対応部と、掌中央の凹部対応部に前記突起群よりも腰の強いドーム形状の回転作業用突起群を設けてあることを特徴としている。
【０００８】
また、本発明に係る洗髪用具は、前記した各指先挿入部の爪側表面にはプロテクタを設けてあることを特徴とし、前記した各指先挿入部から続く、指の第二関節部の外側対応部分には、前記した爪側表面のプロテクタよりも軟らかい第二のプロテクタを設けてあることを特徴とし、前記したドーム形状の回転作業用突起群と対応するパートは手袋体の素地を二重構造としてあることを特徴としている。
【発明の効果】
【０００９】
本発明に係る洗髪用具は上記のように構成されている。そのために、指腹部による揉み作業に加え、掌凹部、即ち、掌の中央部分及び親指の付け根部分も広く用い、両手の掌で頭部を包み込むようにとらえ、全体を回転して揉みほぐすように洗髪作業を実行することができる。この作用によって、頭皮、頭髪、毛根を傷付けることなく、フケ、油分、汚れをムラなく洗浄することができ、脱毛を抑え、育毛にも良好な効果が得られる。
【図面の簡単な説明】
【００１０】
【図１】本発明を実施した右手用洗髪用具の掌側を示す図である。
【図２】左手用洗髪用具の手の甲側を示す図である。
【図３】人指し指の挿入部を示す側面図である。
【発明を実施するための形態】
【００１１】
図面として示し、実施例で説明したように構成したことで実現した。
【実施例１】
【００１２】
次に、本発明の好ましい実施の一例を図面を参照して説明する。図１にあって、１、２、３、４、５は、合成樹脂製の手袋体の各指先挿入部の指腹部の表面に設けられた突起群を示し、１は小指、２は薬指、３は中指、４は人指し指、５は親指と対応する。この突起群１、２、３、４、５は合成樹脂によって成形され、その合成樹脂は洗髪作業時に耐えながらも頭髪、頭皮を傷付けることのない硬軟度、強度そして厚さを有しており、突起群１、２、３、４、５を構成する突起の先端は球面状の丸味をおびた構成とし、その各突起の長さは均一でなく中央寄りを長く、端側を短くする等の差異を持たせることもできる。
【００１３】
また、前記した突起群１、２、３、４、５の反対側、即ち、指先挿入部の爪側の表面には、突起群１、２、３、４、５が不要に位置ずれを生じることがないよう、指先を挿入した際に位置固定をするためのプロテクタ１のＰ、２のＰ、３のＰ、４のＰ、５のＰが設けられている。この各プロテクタ１のＰ〜５のＰは指先に掛かる一定の力（押圧力）を洗髪時に安定させることができるよう変形することのない硬度、厚さを有する合成樹脂で形成されている。
【００１４】
さらに、各指の挿入部には各関節に対応する部分に、肉薄で各関節の屈曲を自在に許容するリング状の溝ａ、ｂ、ｃ、ｄ、ｅ、ｆ、ｇ、ｈが形成され、かつ、掌の中央の屈曲を自在に許容する直線溝Ｉ及び親指の付け根（基節骨）に沿って屈曲を許容する溝Ｊがやはり肉薄として形成されている。
【００１５】
前記した溝ａ、ｂ、ｃ、ｄ、ｅ、ｆ、ｇ、ｈで区切られる中節骨対応部分の表面側には各々第二のプロテクタＡ、Ｂ、Ｃ、Ｄが設けられている。この第二のプロテクタＡ、Ｂ、Ｃ、Ｄは前記したプロテクタ１のＰ、２のＰ、３のＰ、４のＰよりも軟度の大きいものとなっている。即ち、プロテクタと第二のプロテクタは溝部分を境として切断開放されたものとなり、各指や掌、手の甲の折り曲がりを自然でスムーズに行えるようになっている。
【００１６】
そして、親指挿入部の中節骨対応の指腹側、付け根部（基節骨）対応部分には、前記した突起群よりも各突起を大きくし、腰をもった構成の回転作業用突起群６、７が設けられ、さらに、掌中央に対応する部分にもこの回転作業用突起群８が形成されているもので、特に、回転作業用突起群８は全体としての形状が中央を膨出させたドーム形状としている。
【００１７】
親指挿入部の中節骨対応の甲側には回転作業用突起群６と対応するプロテクタ６のＰが設けられている。このプロテクタ６のＰは前記したプロテクタ１のＰ〜５のＰと同様のものである。
【００１８】
また、前記した回転作業用突起群７、８の裏面は手袋体の生地（合成樹脂）を二重としたプロテクタ７のＰ、８のＰとなっており、このプロテクタ７のＰ、８のＰの有する硬軟度、厚さ、クッション性によって回転作業用突起群７、８の安定した固定を図る基盤となっている。
【００１９】
さらに、図中９、９ａは手袋体を手先に装着保持させるための止着ベルトを示しているが、この止着ベルト９、９ａは面状ファスナーを用い、締め具合を調整できるものとすることもできる。
【００２０】
ここで、本実施例に係る洗髪用具の使用方法について説明する。左右の手先に各々手袋体とした洗髪用具を装着し、突起群１〜５によって頭皮及び頭髪を揉みほぐすように洗浄を行う。この際に擦る作業は避けるようにするが、この揉みほぐす作業は、通常の摘むような作業でもよいが、左右の指を内側になるよう組み、行うと、動作を安定させることができる。
【００２１】
また、親指と対応する回転作業用突起群６、７は、側頭部、耳の後部、襟足、首に当接させ、適度な加圧力を加えながら洗浄を行なう。回転作業用突起８は、掌で頭部を包むようにして圧力を加えながら回転させ洗浄を行なう。この際、この回転作業用突起群６、７、８はその特性から、頭皮に対する加圧力の強弱を作業者の自らの力で加減でき、洗浄の効果を上げることができる。特に回転作業用突起群８にあっては掌で押し付けることができるので、力の加減、作業が容易となる。
【００２２】
さらに、この洗髪用具は家庭用として個人使用されるものではあるが、美容、理容の業務用として、あるいは病院での入院患者の洗髪、養護施設での入居者の洗髪用として介護者が使用することもでき、かかる場合、さらにラテックス等の極薄の手袋を着用したうえで使用すると、頭皮に疾患を持っている場合でも衛生的に洗髪が行なえ、感染等の虞もなくなる。また、毛染め後にその染料を洗い落とす作業も同様に実行できる。
【産業上の利用可能性】
【００２３】
本実施例に係る洗髪用具は上記のように構成されている。勿論、この洗髪用具はサイズを問うものではなく、数種のサイズを設定することもでき、子供用や高齢者用として各突起群の各突起の特性も選択することが可能である。
【符号の説明】
【００２４】
１、２、３、４、５      突起群
６、７、８      回転作業用突起群
ａ、ｂ、ｃ、ｄ、ｅ、ｆ、ｇ、ｈ、Ｉ、Ｊ      溝
１のＰ、２のＰ、３のＰ、４のＰ、５のＰ、６のＰ      プロテクタ
Ａ、Ｂ、Ｃ、Ｄ      第二のプロテクタ
７のＰ、８のＰ      二重構造
９、９ａ      止着ベルト
【図１】
2014001465.tif 000003
【図２】
2014001465.tif 000004
【図３】
2014001465.tif 000005